(57)【特許請求の範囲】
【請求項１】
放送用サーバからデータカルーセル伝送方式で放送波によりデータ放送を受信するデータ放送受信装置において、
前記データ放送の放送データを受信する放送受信制御手段と、
前記放送データを蓄積するデータ蓄積手段と、
視聴者の入力装置の操作により発生する入力データを解析し、前記視聴者の入力装置の操作に応じて、前記放送データとして視聴者の閲覧に必要なデータファイルの集合である閲覧データの取得を要求するための閲覧データ要求を作成する解析手段と、
前記作成された閲覧データ要求で要求された閲覧データを構成する一部のデータファイルまたは全部のデータファイルが前記データ蓄積手段に蓄積されているかどうかを判定する蓄積判定手段と、
前記蓄積判定手段によって、前記閲覧データを構成する一部のデータファイルまたは全部のデータファイルが前記データ蓄積手段に蓄積されていないと判定された場合に、データ放送または通信回線を介して予め取得した前記閲覧データを構成するデータファイルのファイル情報を記述したファイル一覧データから、視聴者の閲覧に必要な閲覧データのうち、前記データ蓄積手段に蓄積されていない不足データファイルに関するファイル情報を読み込み、読み込んだファイル情報が、通信回線からのデータ取得を予め制限することを示す少なくとも閲覧データの大きさまたは種類の情報であるか否かによって、前記不足データファイルを前記放送用サーバから通信回線を介して取得するかどうかを判定する受信判定手段と、
前記受信判定手段によって、前記不足データファイルを前記放送用サーバから取得すると判定された場合に、前記不足データファイルを通信回線を介して取得する通信回線制御手段と、
前記データ蓄積手段と前記通信回線制御手段との少なくとも一方から、視聴者の閲覧に必要な閲覧データを構成するデータファイルを収集し、前記通信回線制御手段から通信回線を介して閲覧データを構成するデータファイルを収集した時、前記データファイルを前記データ蓄積手段に蓄積するデータ収集制御手段と、
前記データ収集制御手段で収集した閲覧データを、視聴者の閲覧可能な情報に変換する閲覧データ変換手段と、
を備え、
前記蓄積判定手段は、
前記閲覧データを構成するデータファイルが前記データ蓄積手段に蓄積されていても、前記データ蓄積手段に蓄積されたデータファイルの誤り検出を行ない、
ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定し、
一方、前記ビット誤り率が、前記誤り許容率以下である場合、あるいは、前記算出したビット誤り率の平均値以下である場合は、当該データファイルが前記データ蓄積手段に蓄積されているものと判定する
ことを特徴とするデータ放送受信装置。
【請求項２】
データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかを判定するスケジュール判定手段を備え、
前記受信判定手段は、
さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定し、
前記データ収集制御手段は、
前記スケジュール判定手段の判定および前記受信判定手段の判定に基づいて、前記不足データファイルとして前記放送データを前記通信回線制御手段から通信回線を介して取得し、前記データ蓄積手段に蓄積することを特徴とする請求項１に記載のデータ放送受信装置。
【請求項３】
視聴者が使用し、放送用サーバからデータカルーセル伝送方式で放送波によりデータ放送を受信する放送受信制御手段と、前記放送データを蓄積するデータ蓄積手段と、前記放送用サーバから前記放送データを構成するデータファイルを通信回線を介して取得する通信回線制御手段とを備えた端末を、
視聴者の入力装置の操作により発生する入力データを解析し、前記視聴者の入力装置の操作に応じて、前記放送データとして視聴者の閲覧に必要なデータファイルの集合である閲覧データの取得を要求するための閲覧データ要求を作成する解析手段、
前記作成された閲覧データ要求で要求された閲覧データを構成する一部のデータファイルまたは全部のデータファイルが前記データ蓄積手段に蓄積されているかどうかを判定する蓄積判定手段、
前記蓄積判定手段によって、前記閲覧データを構成する一部のデータファイルまたは全部のデータファイルが前記データ蓄積手段に蓄積されていないと判定された場合に、データ放送または通信回線を介して予め取得した前記閲覧データを構成するデータファイルのファイル情報を記述したファイル一覧データから、視聴者の閲覧に必要な閲覧データのうち、前記データ蓄積手段に蓄積されていない不足データファイルに関するファイル情報を読み込み、読み込んだファイル情報が、通信回線からのデータ取得を予め制限することを示す少なくとも閲覧データの大きさまたは種類の情報であるか否かによって、前記不足データファイルを前記放送用サーバから通信回線を介して取得するかどうかを判定する受信判定手段、
前記データ蓄積手段と前記通信回線制御手段との少なくとも一方から、視聴者の閲覧に必要な閲覧データを構成するデータファイルを収集し、前記通信回線制御手段から通信回線を介して閲覧データを構成するデータファイルを収集した時、前記データファイルを前記データ蓄積手段に蓄積するデータ収集制御手段、
前記データ収集制御手段で収集した閲覧データを、視聴者の閲覧可能な情報に変換する閲覧データ変換手段、
として機能させると共に、
前記蓄積判定手段は、
前記閲覧データを構成するデータファイルが前記データ蓄積手段に蓄積されていても、前記データ蓄積手段に蓄積されたデータファイルの誤り検出を行ない、
ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定し、
一方、前記ビット誤り率が、前記誤り許容率以下である場合、あるいは、前記算出したビット誤り率の平均値以下である場合は、当該データファイルが前記データ蓄積手段に蓄積されているものと判定することを特徴とするデータ放送受信プログラム。
【請求項４】
請求項３に記載のデータ放送受信プログラムにおいて、
データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかを判定するスケジュール判定手段として動作する機能を備え、
前記受信判定手段は、
さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定し、
前記データ収集制御手段が、
前記スケジュール判定手段の判定および前記受信判定手段の判定に基づいて、前記不足データファイルとして前記放送データを前記通信回線制御手段から通信回線を介して取得し、前記データ蓄積手段に蓄積する
ことを特徴とするデータ放送受信プログラム。
【発明の詳細な説明】
【０００１】
【発明の属する技術分野】
本発明は、デジタル放送におけるデータ放送を受信するデータ放送受信装置及びデータ放送受信プログラムに関し、より詳細には、通信回線を介してデータを取得することで、データ放送のデータ受信の補完を行なう機能を備えたデータ放送受信装置及びデータ放送受信プログラムに関する。
【０００２】
【従来の技術】
現在、デジタル放送におけるデータ放送では、放送局側が同じデータを一定の周期で繰り返し送信し、受信側が放送の途中からでも必要なデータを取得できるデータカルーセル伝送方式が採用されている。
【０００３】
このデータカルーセル伝送方式は、ＩＳＯ／ＩＥＣ  １３８１６−６で規定された伝送方式で、図５にその概念図を示す。図５において、伝送上同一のデータが一定の周期で繰り返し伝送されているとすると、例えば、１回目のデータ伝送時の途中で受信装置の電源をＯＮにすると、受信装置は、同じデータの２回目の伝送のタイミングでデータを受信する。これによって、受信装置は、放送時間中の任意の時点で必要なデータを取得することができる。
【０００４】
【発明が解決しようとする課題】
しかし、前記データカルーセル伝送方式においては、受信側が受信に失敗した場合、次のデータ伝送の周期まで待って、再度受信を行なう必要がある。このため、悪天候により電波の弱くなる状況や、例えば携帯型の受信装置であれば、ビルの間の電波が弱い状況においては、完全にデータを受信できるまでに何周期か受信を繰り返さなければならず、視聴者がデータを閲覧するまでの待ち時間が増大してしまうという問題があった。
【０００５】
また、前記の問題を回避するために、データの伝送周期を短くして受信側がデータの受信を早くする方法があるが、この場合、伝送できる量が減ってしまい、伝送効率が悪くなるという問題がある。
【０００６】
本発明は、以上のような問題点に鑑みてなされたものであり、デジタル放送におけるデータ放送を受信する際に、断続的な受信状態で受信に失敗したデータを通信回線を介して補完することで、効率的にデータ放送を受信するデータ放送受信装置及びデータ放送受信プログラムを提供することを目的とする。
【０００７】
【課題を解決するための手段】
本発明は、前記目的を達成するために提供されるものであり、まず、請求項１に記載のデータ放送受信装置は、放送用サーバからデータカルーセル伝送方式で放送波によりデータ放送を受信するデータ放送受信装置において、データ放送の放送データを受信する放送受信制御手段と、前記放送データを蓄積するデータ蓄積手段と、視聴者の入力装置の操作により発生する入力データを解析し、前記視聴者の入力装置の操作に応じて、前記放送データとして視聴者の閲覧に必要なデータファイルの集合である閲覧データの取得を要求するための閲覧データ要求を作成する解析手段と、前記作成された閲覧データ要求で要求された閲覧データを構成する一部のデータファイルまたは全部のデータファイルが前記データ蓄積手段に蓄積されているかどうかを判定する蓄積判定手段と、前記蓄積判定手段によって、前記閲覧データを構成する一部のデータファイルまたは全部のデータファイルが前記データ蓄積手段に蓄積されていないと判定された場合に、データ放送または通信回線を介して予め取得した前記閲覧データを構成するデータファイルのファイル情報を記述したファイル一覧データから、視聴者の閲覧に必要な閲覧データのうち、前記データ蓄積手段に蓄積されていない不足データファイルに関するファイル情報を読み込み、読み込んだファイル情報が、通信回線からのデータ取得を予め制限することを示す少なくとも閲覧データの大きさまたは種類の情報であるか否かによって、前記不足データファイルを前記放送用サーバから通信回線を介して取得するかどうかを判定する受信判定手段と、前記受信判定手段によって、前記不足データファイルを前記放送用サーバから取得すると判定された場合に、前記不足データファイルを通信回線を介して取得する通信回線制御手段と、前記データ蓄積手段と前記通信回線制御手段との少なくとも一方から、視聴者の閲覧に必要な閲覧データを構成するデータファイルを収集し、前記通信回線制御手段から通信回線を介して閲覧データを構成するデータファイルを収集した時、前記データファイルを前記データ蓄積手段に蓄積するデータ収集制御手段と、前記データ収集制御手段で収集した閲覧データを、視聴者の閲覧可能な情報に変換する閲覧データ変換手段と、を有し、前記蓄積判定手段が、前記閲覧データを構成するデータファイルが前記データ蓄積手段に蓄積されていても、前記データ蓄積手段に蓄積されたデータファイルの誤り検出を行ない、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定し、一方、前記ビット誤り率が、前記誤り許容率以下である場合、あるいは、前記算出したビット誤り率の平均値以下である場合は、当該データファイルが前記データ蓄積手段に蓄積されているものと判定する構成とした。
【０００８】
かかる構成によれば、データ放送受信装置は、放送受信制御手段によって、データ放送の放送データが受信され、前記放送データがデータ蓄積手段に蓄積され、解析手段によって、視聴者の入力装置の操作に応じて閲覧データ要求が作成され、蓄積判定手段によって、視聴者の入力装置の操作により要求された閲覧データが前記データ蓄積手段に蓄積されているかどうかが判定され、データファイルが前記データ蓄積手段に蓄積されていても、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定する。そして、データ放送受信装置は、蓄積判定手段によって、データファイルがデータ蓄積手段に蓄積されていないと判定された場合に、受信判定手段によって、予め取得したファイル一覧データから、視聴者の閲覧に必要な閲覧データのうち、不足データファイルに関するファイル情報を読み込み、読み込んだファイル情報が、通信回線からのデータ取得を予め制限することを示す少なくとも閲覧データの大きさまたは種類の情報であるか否かによって、不足データファイルを放送用サーバから通信回線を介して取得するかどうかを判定する。そして、データ放送受信装置は、通信回線制御手段によって、前記データ蓄積手段に蓄積されていない不足データが通信回線を介して取得され、データ収集制御手段によって、前記データ蓄積手段と前記通信回線制御手段との少なくとも一方から、視聴者が閲覧する閲覧データが収集され、閲覧データ変換手段によって、前記データ収集制御手段で収集された閲覧データが、視聴者の閲覧可能な情報に変換される。これにより、データ蓄積手段に蓄積されていない閲覧データを、通信回線制御手段から通信回線を介して取得することで補完する。また、データ放送受信装置は、前記受信判定手段により、閲覧データの大きさまたは種類によっては、閲覧データに不足するデータであっても通信回線制御手段から通信回線を介して取得しないことを決定する。また、データ放送受信装置は、データ収集制御手段によって、通信回線制御手段から通信回線を介して収集した閲覧データがデータ蓄積手段に蓄積されるので、通信回線を介して収集した閲覧データが、放送受信制御手段によって受信した放送データと同じデータ蓄積手段に蓄積される。
【００１５】
また、請求項２に記載のデータ放送受信装置は、請求項１に記載のデータ放送受信装置において、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかを判定するスケジュール判定手段を有し、前記受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定し、前記データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積する構成とした。
【００１６】
かかる構成によれば、データ放送受信装置は、スケジュール判定手段によって、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかが判定される。そして、受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定する。そして、データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積する。これにより、放送スケジュールの時間内にデータ蓄積手段に蓄積されていない放送データを、通信回線制御手段から通信回線を介して取得することで補完する。
【００１７】
さらに、請求項３に記載のデータ放送受信プログラムは、視聴者が使用し、放送用サーバからデータカルーセル伝送方式で放送波によりデータ放送を受信する放送受信制御手段と、前記放送データを蓄積するデータ蓄積手段と、前記放送用サーバから前記放送データを構成するデータファイルを通信回線を介して取得する通信回線制御手段とを備えた端末を、視聴者の入力装置の操作により発生する入力データを解析し、前記視聴者の入力装置の操作に応じて、前記放送データとして視聴者の閲覧に必要なデータファイルの集合である閲覧データの取得を要求するための閲覧データ要求を作成する解析手段、前記作成された閲覧データ要求で要求された閲覧データを構成する一部のデータファイルまたは全部のデータファイルが前記データ蓄積手段に蓄積されているかどうかを判定する蓄積判定手段、前記蓄積判定手段によって、前記閲覧データを構成する一部のデータファイルまたは全部のデータファイルが前記データ蓄積手段に蓄積されていないと判定された場合に、データ放送または通信回線を介して予め取得した前記閲覧データを構成するデータファイルのファイル情報を記述したファイル一覧データから、視聴者の閲覧に必要な閲覧データのうち、前記データ蓄積手段に蓄積されていない不足データファイルに関するファイル情報を読み込み、読み込んだファイル情報が、通信回線からのデータ取得を予め制限することを示す少なくとも閲覧データの大きさまたは種類の情報であるか否かによって、前記不足データファイルを前記放送用サーバから通信回線を介して取得するかどうかを判定する受信判定手段、前記データ蓄積手段と前記通信回線制御手段との少なくとも一方から、視聴者の閲覧に必要な閲覧データを構成するデータファイルを収集し、前記通信回線制御手段から通信回線を介して閲覧データを構成するデータファイルを収集した時、前記データファイルを前記データ蓄積手段に蓄積するデータ収集制御手段、前記データ収集制御手段で収集した閲覧データを、視聴者の閲覧可能な情報に変換する閲覧データ変換手段、として機能させると共に、前記蓄積判定手段が、前記閲覧データを構成するデータファイルが前記データ蓄積手段に蓄積されていても、前記データ蓄積手段に蓄積されたデータファイルの誤り検出を行ない、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定し、一方、前記ビット誤り率が、前記誤り許容率以下である場合、あるいは、前記算出したビット誤り率の平均値以下である場合は、当該データファイルが前記データ蓄積手段に蓄積されているものと判定することとした。
【００１８】
かかる構成によれば、データ放送受信プログラムは、解析手段によって、視聴者の入力装置の操作に応じて、放送データとして視聴者の閲覧に必要なデータファイルの集合である閲覧データの取得を要求するための閲覧データ要求が作成され、蓄積判定手段によって、視聴者の入力装置の操作により要求された閲覧データが前記データ蓄積手段に蓄積されているかどうかが判定され、データファイルが前記データ蓄積手段に蓄積されていても、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定する。そして、データ放送受信プログラムは、蓄積判定手段によって、データファイルがデータ蓄積手段に蓄積されていないと判定された場合に、受信判定手段によって、予め取得したファイル一覧データから、視聴者の閲覧に必要な閲覧データのうち、不足データファイルに関するファイル情報を読み込み、読み込んだファイル情報が、通信回線からのデータ取得を予め制限することを示す少なくとも閲覧データの大きさまたは種類の情報であるか否かによって、不足データファイルを放送用サーバから通信回線を介して取得するかどうかを判定する。そして、データ放送受信プログラムは、データ収集制御手段によって、前記データ蓄積手段と前記通信回線制御手段との少なくとも一方から、視聴者が閲覧する閲覧データが収集され、閲覧データ変換手段によって、前記データ収集制御手段で収集された閲覧データが、視聴者の閲覧可能な情報に変換される。これにより、データ蓄積手段に蓄積されていない閲覧データを、通信回線制御手段から通信回線を介して取得することで補完する。また、データ放送受信プログラムは、前記受信判定手段により、閲覧データの大きさまたは種類によっては、閲覧データに不足するデータであっても通信回線制御手段から通信回線を介して取得しないことを決定する。また、データ放送受信プログラムは、データ収集制御手段によって、通信回線制御手段から通信回線を介して収集した閲覧データがデータ蓄積手段に蓄積される。これにより、通信回線を介して収集した閲覧データが、放送受信制御手段によって受信した放送データと同じデータ蓄積手段に蓄積される。
【００２５】
また、請求項４に記載のデータ放送受信プログラムは、請求項３に記載のデータ放送受信プログラムにおいて、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかを判定するスケジュール判定手段として動作する機能を付加し、前記受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定し、前記データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積する構成とした。
【００２６】
かかる構成によれば、データ放送受信プログラムは、スケジュール判定手段によって、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかが判定される。そして、受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定する。そして、データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積する。これにより、放送スケジュールの時間内にデータ蓄積手段に蓄積されていない放送データを、通信回線制御手段から通信回線を介して取得することで補完する。
【００２７】
【発明の実施の形態】
以下、本発明の実施の形態を図面に基づいて詳細に説明する。
（データ放送システムの概要）
図１は、本発明におけるデータ放送受信装置を含んだ、データ放送システム全体の概念図である。図１に示すように、放送局２０の放送送信制御手段２１が、データ放送用の放送データ（閲覧データの集合）を蓄積した放送用サーバ２２内のデータをデータ放送の時間帯に合わせて放送波１により送出し、データ放送受信装置１０の放送受信制御手段１１が、送出された放送データを受信し、データ蓄積手段１２に蓄積する。
【００２８】
ここで、データ放送受信装置１０のデータ収集制御手段１４は、視聴者が閲覧に必要な閲覧データをデータ蓄積手段１２から読込み、閲覧データ変換手段１５によって視聴者が閲覧可能な出力データが生成され、出力装置（図示せず）に出力される。
【００２９】
この時、データ収集制御手段１４は、視聴者が閲覧する閲覧データがデータ蓄積手段１２に蓄積されていない場合、通信回線制御手段１３により通信回線２を介して放送局２０にデータを要求する。放送局２０は、前記要求を通信回線制御手段２３が受けると、放送用サーバ２２から要求されたデータを読込み、通信回線２を介してデータ放送受信装置１０へ送信する。データ放送受信装置１０は、通信回線制御手段１３により通信回線２を介してデータを受信し、前記受信したデータを閲覧データ変換手段１５が視聴者に閲覧可能な出力データに変換し、出力手段（図示せず）に出力する。
【００３０】
なお、前記の説明において、データ放送受信装置１０の各手段は、個々の装置として構成することも可能であるし、放送局２０の通信回線に使用する通信回線制御手段２３は放送局２０外の設備として構成することも可能であるが、本発明は、この構成にとらわれるものではない。
【００３１】
（データ放送受信装置の機能）
次に図２に基づいて、データ放送受信装置１０の機能について詳細に説明する。
図２は、データ放送受信装置の全体構成を示すブロック図である。図２に示すように、データ放送受信装置１０は、放送波１から放送データを受信する放送受信制御手段１１と、前記放送データを蓄積するデータ蓄積手段１２と、通信回線２を介してデータの送受信を行う通信回線制御手段１３と、視聴者の閲覧に必要な閲覧データを収集するデータ収集制御手段１４と、前記閲覧データを視聴者が閲覧可能な出力データに変換する閲覧データ変換手段１５とを含む構成とした。
【００３２】
また、外部には、閲覧データ変換手段１５が生成する出力データを処理するＣＲＴ、スピーカ等の出力装置（図示せず）と、視聴者が画面上のボタン等の操作を行なうリモコン等の入力装置（図示せず）が接続されている。
【００３３】
次に、データ放送受信装置１０の個々の手段について説明を行なう。
放送受信制御手段１１は、放送データ受信部１０１により、放送波１からデータ放送を受信して、受信した放送データをデータ蓄積手段１２に蓄積する。
【００３４】
この放送受信制御手段１１は、データ放送の受信において、データカルーセル伝送方式によって送信されたデータ放送を受信する。このため、悪天候により電波の弱くなる状況や、例えば携帯型受信装置であれば、ビルの間の電波が弱い状況においては、完全にデータを受信できるまで何周期か受信を繰り返す。
【００３５】
データ蓄積手段１２は、放送受信制御手段１１が受信した放送データと、後記する通信回線制御手段１３が受信した放送補完データとを蓄積するハードディスクや、メモリカードといった蓄積手段である。
【００３６】
ここで蓄積されるデータには、放送データの実体であるデータファイル２０１と、データのファイル名やファイルの大きさ、テキストや画像といったデータの種類などのファイル情報を記述したファイル一覧データ２０２と、放送スケジュールを記述したスケジュールデータ２０３とがある。
【００３７】
また、このデータ蓄積手段１２に蓄積されるデータは、ＡＲＩＢ−ＳＴＤ−Ｂ２４（デジタル放送におけるデータ放送符号化方式と伝送方式）規格で定められたデータ放送制御信号により指定されたディレクトリにファイル形式で蓄積される。例えば、このディレクト名は、放送局の放送用サーバ名（例：ｗｗｗ．ｎｈｋ．ｏｒ．ｊｐ）などとして、接続先情報を付加した形式とする。
【００３８】
なお、前記ディレクトリは、ＡＲＩＢ−ＳＴＤ−Ｂ２４では、データカルーセル伝送方式で用いられるDownloadInfoIndicationメッセージ（以下、ＤＩＩメッセージ）に記述することができる。
【００３９】
ここで、図６にＤＩＩメッセージで使用される記述子一覧６０１を示す。この記述子のうち、ＳｔｏｒｅＲｏｏｔ記述子やＳｕｂＤｉｒｅｃｔｏｒｙ記述子を使用することで、ディレクトリを示すことができる。
【００４０】
図２に戻って、データ放送受信装置１０の説明を続ける。
通信回線制御手段１３は、後記するデータ収集制御手段１４のデータ要求に基づいて、送信部３０１が、インターネット等の通信回線２を介して放送局の放送用サーバに対して、データの要求を行い、要求したデータを通信回線２を介して受信部３０２が受信する通信回線の送受信手段である。また、ここで受信したデータは、後記するデータ収集制御手段１４に放送データを補完するデータとして放送補完データを返す。
【００４１】
この通信回線制御手段１３は、通信回線２が例えば電話回線やＩＳＤＮ回線であれば、放送用サーバに接続する方法としてダイヤルアップ接続や常時接続といった接続形態をとることが可能である。また、これ以外の通信回線や接続形態においても、機能は同様である。
【００４２】
データ収集制御手段１４は、視聴者の入力装置（図示せず）の操作により、後記する閲覧データ変換手段１５によって生成される閲覧データ要求に基づいて、必要となる閲覧データをデータ蓄積手段１２、または通信回線制御手段１３から読込んで、閲覧データ変換手段１５に転送する。ここで、閲覧データを通信回線制御手段１３から放送補完データとして読込んだ場合は、再度受信することがないように、データ蓄積手段１２に蓄積しておく。この蓄積方法は、前記同様ＡＲＩＢ−ＳＴＤ−Ｂ２４規格で定められたデータ放送制御信号により、指定されたディレクトリにファイル形式で蓄積する。
【００４３】
また、このデータ収集制御手段１４は、蓄積判定部４０１と受信判定部４０２とスケジュール判定部４０３とを有している。なお、特許請求の範囲に記載の蓄積判定手段、受信判定手段、スケジュール判定手段は、それぞれ、蓄積判定部４０１と受信判定部４０２とスケジュール判定部４０３として構成している。
【００４４】
まず、蓄積判定部４０１は、閲覧データ変換手段１５によって生成される閲覧データ要求に基づいて、要求された閲覧データ（データファイルの集合）がデータ蓄積手段１２に蓄積されているかどうかを判定する。この判定結果に基づいて、データ収集制御手段１４は、閲覧データをデータ蓄積手段１２から読込むか、通信回線制御手段１３から読込むかといった閲覧データの読込み元を決定する。
【００４５】
さらに、蓄積判定部４０１は、要求された閲覧データ（データファイルの集合）がデータ蓄積手段１２に蓄積されていても、閲覧データのビット誤り率を算出して、前記ビット誤り率が、予め設定してある誤り許容率よりも大きい場合、あるいは、定常的に算出したビット誤り率の平均値よりも大きい場合は、閲覧ファイルはデータ蓄積手段１２に蓄積されていないと判定する。
【００４６】
また、蓄積判定部４０１は、前記ＤＩＩメッセージに記述されているモジュール（ファイル）の有効期限（図６参照）を参照して、有効期限が過ぎている場合は、閲覧ファイルはデータ蓄積手段１２に蓄積されていないと判定する。
【００４７】
次に、受信判定部４０２は、閲覧データの読込み元が通信回線制御手段１３であるときに、データ放送によって予めデータ蓄積手段１２に蓄積されている、閲覧データに含まれるファイルのファイル名やファイルの大きさ、テキストや画像といったデータの種類などのファイル情報を記述したファイル一覧データ２０２から、取得しようとするファイルの大きさを読込み、事前に設定されている閾値と比較を行ない実際に通信回線から受信するかどうかを判定する。この判定結果に基づいて、データ収集制御手段１４は、実際にデータを通信回線制御手段１３から読込むかどうかを決定する。
【００４８】
この受信判定部４０２では、ファイルの大きさによって判定を行なっているが、ファイル一覧データ２０２に記述されたファイルの種類によって、例えば、該当ファイルが画像ファイルである場合は、通信回線２を介してファイルを取得しないという判定を行なうことも可能である。
【００４９】
また、ファイル一覧データ２０２が、データ蓄積手段１２に蓄積されていない場合は、本発明の通り、通信回線２を介して放送用サーバから該当データを取得することができる。
【００５０】
また、スケジュール判定部４０３は、データ放送によって予めデータ蓄積手段１２に蓄積されている放送スケジュールを記述したスケジュールデータ２０３に基づいて、定期的に蓄積手段１２の監視を行ない、放送時間内にファイルがデータ蓄積手段１２に蓄積されていない時は、通信回線２を介して、放送用サーバからファイルを取得する。この時も、受信判定部４０２の判定でファイルを読込むことができると判定された時だけ、実際に通信回線２を介してファイルを読込む。
【００５１】
さらに、スケジュール判定部４０３は、定期的にデータ蓄積手段１２に蓄積されているＤＩＩメッセージに記述されているモジュール（ファイル）の有効期限（図６参照）を監視して、有効期限を過ぎているファイルをデータ蓄積手段１２から削除する。
【００５２】
閲覧データ変換手段１５は、視聴者の入力装置（図示せず）の操作により発生する入力データを解析部５０１が解析し、必要なファイルをデータ収集制御手段１４から閲覧データとして取得し、データ生成部５０２が閲覧データの内容に基づいて視聴者の閲覧可能な情報に変換して出力する。この出力データは、外部の出力装置（図示せず）に出力することで、視聴者が閲覧することができる。
【００５３】
また、閲覧データ変換手段１５は、視聴者がリモコン等の入力装置（図示せず）で、例えば、表示画面上のボタンを選択することで、別のデータを表示することができる。この時、閲覧データ変換手段１５は、視聴者が選択したボタンに該当する閲覧データ要求を作成して、データ収集制御手段１４に通知する。
【００５４】
前記閲覧データ要求は、例えば、ＨＴＴＰプロトコルを用いて、要求するデータのファイル名（例：ｎｈｋ．ｈｔｍｌ）にインターネット上の放送用サーバ名（例：ｗｗｗ．ｎｈｋ．ｏｒ．ｊｐ）を付加した形式（例：ＧＥＴ  ｈｔｔｐ：／／ｗｗｗ．ｎｈｋ．ｏｒ．ｊｐ／ｎｈｋ．ｈｔｍｌ）で行なう。
【００５５】
なお、データ放送受信装置１０は、コンピュータにおいて各機能をプログラムで実現することも可能であり、各機能プログラムを結合してデータ放送受信プログラムとして動作させることも可能である。
【００５６】
（データ放送受信装置の動作）
次に、図３、図４のフローチャートに基づいて、データ放送受信装置１０の動作を説明する。
【００５７】
（データ放送受信装置の閲覧データ生成動作）
まず最初に、データ放送受信装置１０が、データ放送のデータに基づいて、視聴者が閲覧するための閲覧データを生成する動作について、図３のフローチャートに基づいて説明する。
【００５８】
データ放送受信装置１０は、データ放送で配信されるデータのファイル名やファイルの大きさ、テキストや画像といったデータの種類などのファイル情報を記述したファイル一覧データ２０２が、データ蓄積手段１２に蓄積されているかどうかを確認し（ステップａ１）、ファイル一覧データ２０２が蓄積されていない時は、放送用サーバから、通信回線２を介してファイル一覧データ２０２を取得する（ステップａ２）。
【００５９】
次に、ＤＩＩメッセージに記述されたファイルの有効期限を確認し、有効期限が過ぎている場合は、該ファイルは蓄積されていないものとして、ステップａ８へ進む（ステップａ３）。
【００６０】
一方、ＤＩＩメッセージに記述されたファイルの有効期限が有効期限内であれば、データ蓄積手段１２に放送用データの実体であるファイルが蓄積されているかどうかを判断し（ステップａ４）、蓄積されていれば閲覧データを生成するステップａ８へ進む。
【００６１】
一方、実体ファイルがデータ蓄積手段１２に蓄積されていない場合は、ファイル一覧データ２０２に記述された前記ファイルの大きさ及び種類に基づいて、通信取得可否判定を行ない、前記ファイルの大きさが予め設定した閾値以上、または前記ファイルの種類が画像ファイルであるときは、通信回線２からのファイル取得を否と判定し、ステップａ８へ進む（ステップａ５）。
【００６２】
前記通信取得可否判定が可の場合、放送用サーバから、通信回線２を介して前記ファイルの実体を取得し（ステップａ６）、取得したファイルをデータ蓄積手段１２に蓄積する（ステップａ７）。
【００６３】
以上、ステップａ３からの処理を、視聴者が閲覧する閲覧データに必要な閲覧ファイル全てに対して行ない（ステップａ８）、最後に、これら全てのファイルから視聴者が閲覧できるデータを生成し出力する（ステップａ９）。
【００６４】
この動作において、ステップａ９で最後に一括して視聴者が閲覧できるデータを生成しているが、ステップａ８の前で逐一閲覧データを生成する動作も可能である。また、それ以外の動作においても、これに限定されるものではない。
【００６５】
（データ放送受信装置のスケジュール動作）
次に、データ放送受信装置１０が、スケジュール機能により、データ放送で配信されるデータのデータ蓄積手段１２への蓄積状態を確認する動作について、図４のフローチャートに基づいて説明する。
【００６６】
データ放送受信装置１０は、データ放送で配信されるデータのファイル名やファイルの大きさ、テキストや画像といったデータの種類などのファイル情報を記述したファイル一覧データ２０２が、データ蓄積手段１２に蓄積されているかどうかを確認し（ステップｂ１）、ファイル一覧データ２０２が蓄積されていない時は、放送用サーバから、通信回線２を介してファイル一覧データ２０２を取得する（ステップｂ２）。
【００６７】
次に、ＤＩＩメッセージに記述されたファイルの有効期限を確認し、有効期限が過ぎているファイルをデータ蓄積手段１２から削除する（ステップｂ３）。
【００６８】
次に、データ放送の放送スケジュールを記述したスケジュールデータ２０３が、データ蓄積手段１２に蓄積されているかどうかを確認し（ステップｂ４）、スケジュールデータ２０３が蓄積されていない時は、放送用サーバから、通信回線２を介してスケジュールデータ２０３を取得する（ステップｂ５）。
【００６９】
次に、スケジュールデータ２０３に基づいて、データ蓄積手段１２に既に放送の配信時間が過ぎたデータファイルが蓄積されているかどうかを判断し（ステップｂ６）、蓄積されていれば何も処理せずステップｂ１０へ進む。
【００７０】
一方、放送の配信時間が過ぎたデータファイルがデータ蓄積手段１２に蓄積されていない場合は、ファイル一覧データ２０２に記述された前記データファイルの大きさ及び種類に基づいて、通信取得可否判定を行ない、前記データファイルの大きさが予め設定した閾値以上、または前記ファイルの種類が画像ファイルであるときは、通信回線２からのファイル取得を否と判定し、ステップｂ１０へ進む（ステップｂ７）。
【００７１】
前記通信取得可否判定が可の場合、放送用サーバから、通信回線２を介して前記データファイルの実体を取得し（ステップｂ８）、データ蓄積手段１２に蓄積する（ステップｂ９）。
【００７２】
以上、ステップｂ６からの処理を、スケジュールデータ２０３に基づいて、既に放送の配信時間が過ぎたデータファイル全てに対して行なう（ステップｂ１０）。
【００７３】
以上、一実施形態に基づいて本発明を説明したが、本発明はこれに限定されるものではない。
【００７４】
【発明の効果】
以上説明したとおり、本発明に係るデータ放送受信装置及びデータ放送受信プログラムでは、以下に示す優れた効果を奏する。
【００７５】
請求項１に記載の発明によれば、データ放送受信装置は、放送受信制御手段によって、データ放送の放送データが受信され、前記放送データがデータ蓄積手段に蓄積され、解析手段によって、視聴者の入力装置の操作に応じて閲覧データ要求が作成され、蓄積判定手段によって、視聴者の入力装置の操作により要求された閲覧データが前記データ蓄積手段に蓄積されているかどうかが判定され、データファイルが前記データ蓄積手段に蓄積されていても、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定する。そして、データ放送受信装置は、蓄積判定手段によって、データファイルがデータ蓄積手段に蓄積されていないと判定された場合に、受信判定手段によって、予め取得したファイル一覧データから、視聴者の閲覧に必要な閲覧データのうち、不足データファイルに関するファイル情報を読み込み、読み込んだファイル情報が、通信回線からのデータ取得を予め制限することを示す少なくとも閲覧データの大きさまたは種類の情報であるか否かによって、不足データファイルを放送用サーバから通信回線を介して取得するかどうかを判定する。そして、データ放送受信装置は、通信回線制御手段によって、前記データ蓄積手段に蓄積されていない不足データが通信回線を介して取得され、データ収集制御手段によって、前記データ蓄積手段と前記通信回線制御手段との少なくとも一方から、視聴者が閲覧する閲覧データが収集され、閲覧データ変換手段によって、前記データ収集制御手段で収集された閲覧データが、視聴者の閲覧可能な情報に変換される。
【００７６】
これにより、データ蓄積手段に蓄積されていない閲覧データを、通信回線制御手段から通信回線を介して取得することができる。また、デジタル放送において断続的な放送波の受信状態であっても、通信回線によって、データを補完することができる。また、前記断続的な受信状態であっても、視聴者がデータを閲覧するまでの待ち時間を減らすことができる。
【００７８】
また、このデータ放送受信装置は、受信判定手段により、閲覧データの大きさまたは種類によっては、閲覧データに不足するデータであっても通信回線制御手段から通信回線を介して取得しないことを決定することができ、通信費を抑えることができる。
【００８０】
また、このデータ放送受信装置は、蓄積判定手段により、閲覧データを受信した時の受信状態（例えばビット誤り率）が悪い場合に、前記閲覧データを構成するデータファイルを通信回線制御手段から通信回線を介して取得することができるので、放送波の受信状態にかかわらず視聴者はデータを閲覧することができる。
【００８２】
また、このデータ放送受信装置は、データ収集制御手段により、通信回線を介して収集したデータが、放送受信制御手段によって受信したデータと同じデータ蓄積手段に蓄積されるため、再度同じデータを使用する場合、通信回線を介して収集する必要がなくなり、通信費を抑えるとともに、視聴者がデータを閲覧するまでの待ち時間を減らすことができる。
【００８３】
請求項２に記載の発明によれば、データ放送受信装置は、スケジュール判定手段によって、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかが判定される。そして、受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定する。そして、データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積することができる。
【００８４】
これにより、放送スケジュールの時間内にデータ蓄積手段に蓄積されていない放送データを、通信回線制御手段から通信回線を介して取得することで補完することができるので、視聴者がデータを閲覧したい時に、放送波の受信状態にかかわらず、すぐにデータを閲覧することができる。
【００８５】
請求項３に記載の発明によれば、データ放送受信プログラムは、解析手段によって、視聴者の入力装置の操作に応じて、放送データとして視聴者の閲覧に必要なデータファイルの集合である閲覧データの取得を要求するための閲覧データ要求が作成され、蓄積判定手段によって、視聴者の入力装置の操作により要求された閲覧データが前記データ蓄積手段に蓄積されているかどうかが判定され、データファイルが前記データ蓄積手段に蓄積されていても、ビット誤り率が、予め設定してある誤り許容率よりも大きい場合、あるいは、定常的に算出したビット誤り率の平均値よりも大きい場合は、当該データファイルが前記データ蓄積手段に蓄積されていないものと判定する。そして、データ放送受信プログラムは、蓄積判定手段によって、データファイルがデータ蓄積手段に蓄積されていないと判定された場合に、受信判定手段によって、予め取得したファイル一覧データから、視聴者の閲覧に必要な閲覧データのうち、不足データファイルに関するファイル情報を読み込み、読み込んだファイル情報が、通信回線からのデータ取得を予め制限することを示す少なくとも閲覧データの大きさまたは種類の情報であるか否かによって、不足データファイルを放送用サーバから通信回線を介して取得するかどうかを判定する。そして、データ放送受信プログラムは、データ収集制御手段によって、前記データ蓄積手段と前記通信回線制御手段との少なくとも一方から、視聴者が閲覧する閲覧データが収集され、閲覧データ変換手段によって、前記データ収集制御手段で収集された閲覧データが、視聴者の閲覧可能な情報に変換される。
【００８６】
これにより、データ蓄積手段に蓄積されていない閲覧データを、通信回線制御手段から通信回線を介して取得することができる。また、デジタル放送において断続的な放送波の受信状態であっても、通信回線によって、データを補完することができる。また、前記断続的な受信状態であっても、視聴者がデータを閲覧するまでの待ち時間を減らすことができる。
【００８８】
また、このデータ放送受信プログラムは、受信判定手段により、閲覧データの大きさまたは種類によっては、閲覧データに不足するデータであっても通信回線制御手段から通信回線を介して取得しないことを決定することができ、通信費を抑えることができる。
【００９０】
また、このデータ放送受信プログラムは、蓄積判定手段により、閲覧データを受信した時の受信状態（例えばビット誤り率）が悪い場合に、前記閲覧データを構成するデータファイルを通信回線制御手段から通信回線を介して取得することができるので、放送波の受信状態にかかわらず視聴者はデータを閲覧することができる。
【００９２】
また、このデータ放送受信プログラムは、データ収集制御手段により、通信回線を介して収集したデータが、放送受信制御手段によって受信したデータと同じデータ蓄積手段に蓄積されるため、再度同じデータを使用する場合、通信回線を介して収集する必要がなくなり、通信費を抑えるとともに、視聴者がデータを閲覧するまでの待ち時間を減らすことができる。
【００９３】
請求項４に記載の発明によれば、データ放送受信プログラムは、スケジュール判定手段によって、データ放送または通信回線を介して予め取得した放送スケジュールに基づいて、前記放送スケジュールの時間に沿って放送された放送データが、放送時間内に前記データ蓄積手段に、データファイルの集合である閲覧データとして蓄積されているかどうかが判定される。そして、受信判定手段が、さらに、前記スケジュール判定手段によって、前記放送された放送データとしての閲覧データを構成する一部のデータファイルまたは全部のデータファイルが前記データ蓄積手段に蓄積されていないと判定された場合に、前記ファイル一覧データから、当該閲覧データのうち、前記データ蓄積手段に蓄積されていない不足データファイルに関するファイル情報を読み込み、読み込んだファイル情報が、通信回線からのデータ取得を予め制限する情報であるか否かによって、前記不足データファイルを前記放送用サーバから取得するかどうかを判定する。そして、データ収集制御手段が、前記スケジュール判定手段の判定および前記受信判定手段の判定に基づいて、前記不足データファイルとして前記放送データを前記通信回線制御手段から通信回線を介して取得し、前記データ蓄積手段に蓄積することができる。
【００９４】
これにより、放送スケジュールの時間内にデータ蓄積手段に蓄積されていない放送データを、通信回線制御手段から通信回線を介して取得することで補完することができるので、視聴者がデータを閲覧したい時に、放送波の受信状態にかかわらず、すぐにデータを閲覧することができる。
【図面の簡単な説明】
【図１】本発明によるデータ放送受信装置を含んだ、データ放送システム全体の概念図である。
【図２】本発明の実施の形態に係るデータ放送受信装置の全体構成を示すブロック図である。
【図３】本発明の実施の形態に係る閲覧データを生成する動作を説明したフローチャートである。
【図４】本発明の実施の形態に係るデータの蓄積状態を確認する動作を説明したフローチャートである。
【図５】データ放送で使用されるデータカルーセル伝送方式の概念図である。
【図６】ＤＩＩメッセージで使用される記述子一覧を示した図である。
【符号の説明】
１……放送波
２……通信回線
１０……データ放送受信装置
１１……放送受信制御手段
１２……データ蓄積手段
１３……通信回線制御手段
１４……データ収集制御手段
１５……閲覧データ変換手段
２０……放送局
２１……放送送信制御手段
２２……放送用サーバ
２３……通信回線制御手段
【図１】
0004160740.tif 000002
【図２】
0004160740.tif 000003
【図３】
0004160740.tif 000004
【図４】
0004160740.tif 000005
【図５】
0004160740.tif 000006
【図６】
0004160740.tif 000007